(57)【要約】      （修正有）【課題】  少ない水量で、観賞魚等の遊泳パターンに変化を与えることで、飼育する水生生物の発育促進を促し、かつ鑑賞者が変化に富んだ遊泳パターンを楽しむことが出来るようにする。また掃除が容易な水槽装置を提供する。【解決手段】主水槽２つ（１ａ、１ｂ）を、連通管２本（２ａ、２ｂ）により水平に連結使用した構成にすることで、連通管（２ａ、２ｂ）を適用した距離だけ、観賞魚の直線遊泳距離を１つの水槽で構成する場合よりも、少ない水量で確保でき、その形状から、観賞魚が連通管（２ａ、２ｂ）を通る際の景観のバリエーションが楽しめる。また、水量が少ないために、飼育設備の重量が抑えられ、かつ水の浄化装置を取り付けた場合にも、効率的に浄化が可能となる。【選択図】図１
2008183006.tif 000002
【特許請求の範囲】
【請求項１】
２以上の主水槽を１つ以上の連通管で結合した形状を有する水槽装置。
【請求項２】
水槽装置洗浄の際に、連通管にキャップをつけることで、装置を構成する各主水槽を順次洗浄することを可能とする水槽装置。
【請求項３】
請求項１の形態の完成品として提供する場合もあるが、利用者のニーズにより、主水槽の個数や連結方向（水平連結、垂直連結等）のバリエーションが考えられ、これに応じるために、ジョイント機構を持った主水槽、連通管により、ユニット化も可能とする水槽装置。
【発明の詳細な説明】
【技術分野】
【０００１】一般家庭の鑑賞魚等の飼育のための水槽装置
【背景技術】
【０００２】  従来の水槽を連結させる方式に関して、以下の方式のものがある。
【特許文献１】特開２００３−０３３１２４号公報（要約、図）
【特許文献２】特開２００４−０６５１３７号公報（要約、図）
【特許文献３】特開２００５−１３７２８０号公報（要約、図）これらの方式は、後付けで複数の水槽を垂直方向に連通流路を付与する方式に関するものであるが、飼育する生物の習性によっては水底を好むものもあり、移動の様子が観察できない場合があったり、後付であるため不安定である場合が考えられる。
【発明の開示】
【発明が解決しようとする課題】
【０００３】  本発明は、直接複数の水槽をジョイントして構成することにより、従来の方式に比べて、連通流路の安定性を確保し、水底を好む水族の移動も観察できるようにするものである。【０００４】  同時に少ない水量で、観賞魚の遊泳パターンの変化や距離を与えることで、飼育する水生生物の発育促進を促し、かつ鑑賞者が変化に富んだ遊泳パターンを楽しむことが出来るようにする水槽装置を提供する。
【課題を解決するための手段】
【０００５】  ２つ以上の主飼育水槽部とこれらの主水槽部を連結する連通管部分より構成する。主水槽部の側面に他の主水槽部と連通するための穴（１つ以上）を設け、主水槽同士を連通管でつなぐ。このことにより、従来案に比べ水平方向に飼育する水族の好みに応じた高さの安定した連通形態を持った水槽を提供する。同時に少ない水量で飼育生物の遊泳距離を長くできる。
尚、穴は側面だけでなく、上部、下部に開け垂直方向に連結するバリエーションをとることも可能である。【０００６】図１に水槽の側面に穴を２つずつ開けた２つの主水槽（図１の１ａ、１ｂ）と２つ連通管（１ａ、２ｂ）を上下に配した形で構成した水槽装置の概観を示す。また図２に本装置を構成する主水槽と連通管とに分解した図を示す。
図３の左は主水槽（１ａ）で２つの穴（３ａ、３ｂ）を持つ。図３の右は連通管（２ａ）の概観を示す。【０００７】  第２の解決手段として、個々取り外して洗浄したい場合や、連結したい主水槽の数をユニット拡張したい場合には、主水槽にあけた各穴と連通管にジョイント機構を設ける。【０００８】  ジョイント機構をネジ式にした場合の実施例について図３に示す。
図３の左は主水槽（１ａ）の正面図で右に、連通管を接続する部分のジョイント機構（４）の拡大図を示す。【０００９】図３に於いて示したジョイント部は、主水槽側面に対して突出した（凸ネジ）とした例を示したが、主水槽素材が厚みがある場合には、主水槽側面を凹ネジ、連通管先端を凸ネジとしてジョイント機構を実現する。
図４に、主水槽側面を凸ネジとした例を、図５に凹ネジとした実施例を示す。【００１０】ネジ式の実現例を示したが、ジョイント機構は、ネジ式、パッキン等を使用した方式が考えられる。本方式は、ジョイント機構を設けることに関して、ジョイント機構の実現手段を問わず、直接水槽と連通管を直接接続することを特徴とする。【００１１】  第３の課題解決手段として、飼育開始後、そのままの形態で水槽装置を洗浄する場合や、主水槽を単独で使用したい場合に対応するために、水漏れを防止する目的で、主水槽に開けられた穴に対する連通管の代わりにキャップをつけることにより、主水槽を独立して使用することを可能とする。【００１２】  キャップ形状は、ジョイント機構方式に依存するが、たとえば、ネジ式にした場合には、ねじ形のキャップを使用する。主水槽の穴をふさぐためのキャップの実現例を図６に示す。この実施例では、キャップは、主水槽の外側からかける場合、あるいは内側かけることが選択できる。【００１３】  以上ジョイント機構をネジ式で実現する場合を例として説明したが、つくりつけで図１の完成図の形で提供する場合には、必ずしもジョイント機構をそなえる必要はない。【００１４】  また、作りこみで供給する場合、図１の完成図を主水槽間にまたがる１枚の板の上に構築することで、低重量を保ったまま装置全体の強度を増すこともできる。図７に補強板（６）と接続した実施例を示す。
【発明の効果】
【００１５】  従来案に比べ水平方向に連通管が接続できるため、飼育する水族の好みに応じて連通管の高さや安定した連通形態を持った水槽が提供でき、飼育する生物に負担が少ないように、連結された主水槽を独立に洗浄したり、個々主水槽を単独でも使用することが可能となる。
【発明を実施するための最良の形態】
【００１６】  図１に示すように、２つの主水槽（１ａ、１ｂ）を、上下に配する２本の連通管（２ａ、２ｂ）で繋いだ場合について説明する。低層を好む生物は、下側の連通管ｂ（２ｂ）を通って、また、上層を好む生物は上層の連通管ａ（２ａ）を通って、主水槽ａと主水槽ｂ（１ａ、１ｂ）間を移動する。【００１７】  また生物は、繋いだ主水槽と連通管を足した距離だけ移動できるため、１つの水槽で構成するより少ない水量で長い回遊ルートが確保できる。【００１８】  また、水槽を掃除する際には、図８に示す様にある主水槽（１ａ）に飼育生物を集め連通管にキャップ（５ａ、５ｂ）をすることで、各主水槽を順次清掃することが出来る。このため、生物を別の容器に移し替えることなく、また飼育装置を動かすことなく掃除が出来る。【００１９】  更に図９の主水槽の一方を完全密封形にし上部に穴をあけ、もう一つの主水槽の底部に穴をあけ、垂直に主水槽を配置して連通管でする構成をとってもよい。
【図面の簡単な説明】
【００２０】
【図１】本発明の実施形態を示す装置全体構成図
【図２】本発明を構成する主水槽と連通管を分離したときの図
【図３】主水槽の連通管とのジョイント機構の拡大図
【図４】ジョイント機構を主水槽側を凸ネジ、連通管側を凹ネジで構成した場合の例
【図５】ジョイント機構を主水槽側を凹ネジ、連通管側を凸ネジで構成した場合の例
【図６】主水槽の穴をふさぐために使用するキャップの実施例
【図７】補強用の板と接合した場合の実施例
【図８】キャップを使用して清掃する方法の実施例
【図９】主水槽を垂直に連結した場合の実施例
【符号の説明】
【００２１】１ａ：主水槽ａ
１ｂ：主水槽ｂ
２ａ：連通管ａ
２ｂ：連通管ｂ
３ａ：主水槽の穴ａ
３ｂ：主水槽の穴ｂ
４  ：主水槽ジョイント部
４ａ：主水槽ジョイント部
４ｂ：主水槽ジョイント部
５ａ：キャップ
５ｂ：キャップ
【図１】
2008183006.tif 000003
【図２】
2008183006.tif 000004
【図３】
2008183006.tif 000005
【図４】
2008183006.tif 000006
【図５】
2008183006.tif 000007
【図６】
2008183006.tif 000008
【図７】
2008183006.tif 000009
【図８】
2008183006.tif 000010
【図９】
2008183006.tif 000011